(57)【要約】  本発明は構造が簡単で、製造コストが安価であり、強度、耐久性に優れ、狭小部に対応することができる部分入れ歯を提供することを目的とする。本発明の部分入れ歯６は、義歯８と、義歯８を支持する義歯床１０と、義歯床１０に金属線１６を介して回動可能に支持された義歯床可動部１２とを有し、義歯床１０に突出部２２を設け、義歯床可動部１２に凹部２４を設け、義歯床可動部１２を閉じる方向に回動したとき、凹部２４の部分２８が突出部２２に接触した後の、金属線１６が弾性変形しないと仮定した場合の部分２８の突出部２２に対する移動の軌跡が突出部２２内を通る。
2010131350.tif 000002
【特許請求の範囲】
【請求項１】
義歯と、
上記義歯を支持する義歯床と、
上記義歯床に弾性変形体を介して回動可能に支持された義歯床可動部と、
上記義歯または上記義歯床に設けられた第１の係合部と、
上記義歯床可動部に設けられ、上記第１の係合部と係合する第２の係合部とを有し、
上記義歯床可動部を閉じる方向に回動したとき、上記第１、第２の係合部のいずれか一方の係合部の部分が他方の係合部に接触した後の、上記弾性変形体が弾性変形しないと仮定した場合の上記部分の上記他方の係合部に対する移動の軌跡が上記他方の係合部内を通り、
上記義歯床可動部が閉じた状態においては、上記義歯床の歯側が残存歯と歯肉との間に形成される窪み部に係合するとともに、上記義歯床可動部の歯側も上記残存歯と上記歯肉との間に形成される窪み部に係合する
ことを特徴とする部分入れ歯。
【請求項２】
上記第１の係合部が突出部、凹部の一方であり、上記第２の係合部が突出部、凹部の他方であることを特徴とする請求項１に記載の部分入れ歯。
【請求項３】
上記突出部および上記凹部が半球状であり、上記義歯床の上記突出部、上記凹部の一方が設けられた面および上記義歯床可動部の上記突出部、上記凹部の他方が設けられた面が、上記義歯床可動部の回動中心線を通る平面に対して傾斜していることを特徴とする請求項２に記載の部分入れ歯。
【請求項４】
上記義歯床可動部の回動中心を中心とし、かつ上記第１、第２の係合部のいずれか一方の係合部の上記中心から最も遠い部分を通る円弧を描いたとき、他方の係合部の一部が上記円弧の外側に位置していることを特徴とする請求項１に記載の部分入れ歯。
【請求項５】
上記義歯床可動部の回動中心を中心とし、かつ上記第１、第２の係合部のいずれか一方の係合部の上記中心から最も近い部分を通る円弧を描いたとき、他方の係合部の一部が上記円弧の内側に位置していることを特徴とする請求項１に記載の部分入れ歯。
【請求項６】
上記義歯床に上記義歯床可動部を回動可能に支持する可動部回動具が、
金属線と、
円筒部および板部を有しており、上記金属線の一部が上記円筒部に回転可能に挿入された回転支持体と
を有することを特徴とする請求項１に記載の部分入れ歯。
【請求項７】
上記金属線の上記回転支持体から突出した端部に抜け止め部が設けられたことを特徴とする請求項６に記載の部分入れ歯。
【請求項８】
上記義歯床に上記義歯床可動部を回動可能に支持する可動部回動具が、
金属線と、
上記金属線の一方端部に設けられた抜け止め部と
を有することを特徴とする請求項１に記載の部分入れ歯。
【発明の詳細な説明】
【技術分野】
【０００１】
本発明は取り外しが可能な部分入れ歯に関するものである。
【背景技術】
【０００２】
従来の部分入れ歯においては、特許文献１に示されるように、義歯床に回動可能に義歯床可動部を設け、義歯床および義歯床可動部にマグネットを設け、マグネットにより義歯床に義歯床可動部が当接した状態とすることにより、部分入れ歯が口内の残存歯部に取り付けられた状態としている。【０００３】
この部分入れ歯においては、マグネットにより義歯床に義歯床可動部が当接した状態から、マグネットの吸着力に抗して義歯床可動部を回動すれば、口内の残存歯部から部分入れ歯を取り外すことができる。【０００４】
このような部分入れ歯においては、固定用のクラスプを残存歯に掛けて固定する部分入れ歯と比較して、脱着容易性が良好であり、また審美性に優れている。
【先行技術文献】
【特許文献】
【０００５】
【特許文献１】特開２００４−２５４９１１号公報
【発明の概要】
【発明が解決しようとする課題】
【０００６】
しかし、このような部分入れ歯においては、義歯床および義歯床可動部にマグネットを設けているから、構造が複雑であって、製作が面倒であり、製造コストが高価であり、また強度、耐久性に問題があり、さらに狭小部に対応することができない。【０００７】
本発明は上述の課題を解決するためになされたもので、製作が容易であり、製造コストが安価であり、強度、耐久性に優れ、狭小部に対応することができる部分入れ歯を提供することを目的とする。
【課題を解決するための手段】
【０００８】
この目的を達成するため、本発明の部分入れ歯は、義歯と、上記義歯を支持する義歯床と、上記義歯床に弾性変形体を介して回動可能に支持された義歯床可動部と、上記義歯または上記義歯床に設けられた第１の係合部と、上記義歯床可動部に設けられ、上記第１の係合部と係合する第２の係合部とを有し、上記義歯床可動部を閉じる方向に回動したとき、上記第１、第２の係合部のいずれか一方の係合部の部分が他方の係合部に接触した後の、上記弾性変形体が弾性変形しないと仮定した場合の上記部分の上記他方の係合部に対する移動の軌跡が上記他方の係合部内を通り、上記義歯床可動部が閉じた状態においては、上記義歯床の歯側が残存歯と歯肉との間に形成される窪み部に係合するとともに、上記義歯床可動部の歯側も上記残存歯と上記歯肉との間に形成される窪み部に係合することを特徴とする。
【発明の効果】
【０００９】
本発明に係る部分入れ歯においては、義歯または義歯床に第１の係合部を設け、義歯床可動部に第２の係合部を設ければよいから、製作が容易であり、製造コストが安価であり、また強度、耐久性に優れ、狭小部に対応することができる。
【図面の簡単な説明】
【００１０】
【図１】本発明に係る部分入れ歯を口内の歯部に取り付けた状態を示す概略正面図である。
【図２】図１と同様の概略平面図である。
【図３】図２の拡大Ａ−Ａ断面図である。
【図４】図２の拡大Ｂ−Ｂ断面図である。
【図５】図１〜図４に示した部分入れ歯の可動部回動具を示す図である。
【図６】図５のＣ−Ｃ断面図である。
【図７】図１〜図４に示した部分入れ歯の動作説明図である。
【図８】図１〜図４に示した部分入れ歯の動作説明図である。
【図９】図１〜図４に示した部分入れ歯の動作説明図である。
【図１０】本発明に係る他の部分入れ歯の一部を示す断面図である。
【図１１】本発明に係る他の部分入れ歯を口内の歯部に取り付けた状態を示すが概略正面図である。
【図１２】図１１と同様の概略平面図である。
【図１３】図１１の拡大Ｄ−Ｄ断面図である。
【図１４】図１１、図１２に示した部分入れ歯の可動部回動具を示す図である。
【図１５】図１４のＥ−Ｅ断面図である。
【図１６】図１１、図１２に示した部分入れ歯の動作説明図である。
【図１７】本発明に係る他の部分入れ歯を口内の歯部に取り付けた状態を示すが概略正面図である。
【図１８】図１７のＦ−Ｆ断面図である。
【図１９】図１７、図１８に示した部分入れ歯の動作説明図である。
【図２０】本発明に係る他の部分入れ歯の可動部回動具を示す図である。
【図２１】本発明に係る他の部分入れ歯の可動部回動具を示す図である。
【図２２】本発明に係る他の部分入れ歯の可動部回動具を示す図である。
【図２３】本発明に係る他の部分入れ歯の可動部回動具を示す図である。
【発明を実施するための形態】
【００１１】
図１〜図６により本発明に係る部分入れ歯を説明する。残存歯２を支持する歯肉４部に部分入れ歯６が取り付けられている。すなわち、部分入れ歯６が口内の歯牙欠損部に取り付けられている。部分入れ歯６は義歯８および義歯８を支持する義歯床１０を有する。義歯８および義歯床１０の材料は歯科用床用レジンである。義歯床１０に義歯床可動部１２が可動部回動具１４によって回動可能に支持されている。可動部回動具１４はＬ字型の金属線１６を有しており、金属線１６の断面形状は円形であり、金属線１６の直径は０．７〜１ｍｍである。金属線１６の端部に球形部１８が設けられ、金属線１６、球形部１８はステンレス鋼からなる。また、金属線１６に回転支持体２０が設けられ、回転支持体２０は金−銀−パラジウム合金、コバルト−クロム合金、純金等からなり、回転支持体２０は円筒部２０ａと板部２０ｂとを有しており、円筒部２０ａの内径は金属線１６の直径とほぼ等しく、金属線１６の一部が回転支持体２０の円筒部２０ａ内に挿入されており、金属線１６は円筒部２０ａに対して回転可能であり、金属線１６の回転支持体２０から突出した端部に球形部１８が設けられている。また、球形部１８の直径は金属線１６の直径、円筒部２０ａの内径よりも大きいから、金属線１６が回転支持体２０から抜け出ることはない。そして、球形部１８、回転支持体２０は義歯床１０内に埋め込まれており、金属線１６の円筒部２０ａから突出した部分は義歯床可動部１２内に埋め込まれている。すなわち、義歯床可動部１２が義歯床１０に金属線１６を介して回動可能に支持されている。なお、球形部１８は義歯床１０に対して円筒部２０ａの中心線を中心として回転可能である。
【００１２】
また、義歯床１０に金属からなる球体の半分が埋め込まれており、第１の係合部である半球状の突出部２２が形成され、義歯床可動部１２に第２の係合部である半球状の凹部２４が設けられ、突出部２２は凹部２４内に位置している。そして、義歯床１０の突出部２２が設けられた面および義歯床可動部１２の凹部２４が設けられた面は、義歯床可動部１２の回動中心線を通る平面に対して同じ角度で傾斜している。このため、図７に示すように、義歯床可動部１２の回動中心を中心Ｏ１とし、かつ凹部２４の開口部の中心Ｏ１から最も遠い部分２８を通る円弧Ｃ１を描いたとき、突出部２２の一部が円弧Ｃ１の外側に位置している。すなわち、義歯床可動部１２を閉じる方向に回動したとき、部分２８が突出部２２に接触した後の、金属線１６が弾性変形しないと仮定した場合の部分２８の突出部２２に対する移動の軌跡が突出部２２内を通る。
【００１３】
また、義歯床可動部１２が閉じた状態においては、図４に示すように、義歯床１０の外側（図４紙面右側）の両側部（図１紙面左右側部）の歯側上部１０ａが残存歯２と歯肉４との間に形成される窪み部に係合するとともに、義歯床可動部１２の両側部（図１紙面左右側部）の歯側上部１２ａも残存歯２と歯肉４との間に形成される窪み部に係合する。
【００１４】
図１〜図６により説明した部分入れ歯においては、図３の二点鎖線で示す義歯床可動部１２が開いた状態で、部分入れ歯６を口内の歯牙欠損部に装着したのち、図３の実線で示す義歯床可動部１２が閉じた状態にすれば、凹部２４内に突出部２２が入った状態すなわち突出部２２と凹部２４とが係合した状態になる。この場合、義歯床可動部１２を開いた状態から閉じた状態に回動したとき、すなわち図７の紙面時計方向に回動したときには、上述したように、突出部２２の一部が円弧Ｃ１の外側に位置しているから、図８に示すように、部分２８が突出部２２の表面に接触し、さらに義歯床可動部１２を図８の紙面時計方向に回動すると、金属線１６が弾性変形して、部分２８が突出部２２の表面上を滑りながら移動し、突出部２２と凹部２４とが係合状態となる。
【００１５】
したがって、図３に示した状態から、義歯床可動部１２を図３紙面反時計方向に回動するためには、ある程度の力を作用させる必要がある。そして、この状態においては、義歯床１０の外側の両側部の歯側上部１０ａが残存歯２と歯肉４との間に形成される窪み部に係合するとともに、義歯床可動部１２の両側部の歯側上部１２ａも残存歯２と歯肉４との間に形成される窪み部に係合するから、部分入れ歯６を図４紙面上方に移動する力を加えたとしても、部分入れ歯６は移動しない。したがって、義歯床可動部１２が閉じた状態では、部分入れ歯６が歯牙欠損部に取り外し不能に取り付けられる。
【００１６】
この状態から、義歯床可動部１２を図７紙面反時計方向に回動する力を加えると、金属線１６が弾性変形して、部分２８が突出部２２の表面上を滑りながら移動し、義歯床可動部１２が開いた状態となる。この場合、図９に示すように、義歯床可動部１２の両側部の歯側上部１２ａが残存歯２と歯肉４との間に形成される窪み部に係合しない状態となるから、部分入れ歯６を図９紙面上方に移動することができる。したがって、義歯床可動部１２が開いた状態では、部分入れ歯６を歯牙欠損部から取り外すことができる。
【００１７】
このような部分入れ歯においては、義歯床可動部１２を開いた状態として、部分入れ歯６を歯牙欠損部に装着したのち、義歯床可動部１２を閉じた状態とすれば、部分入れ歯６を歯牙欠損部に取り外し不能に取り付けることができ、この状態から、義歯床可動部１２を開いた状態にすれば、部分入れ歯６を歯牙欠損部から取り外すことができる。したがって、固定用のクラスプを残存歯に掛けて固定する部分入れ歯と比較して、脱着容易性が良好である。また、固定用のクラスプを残存歯２に掛ける必要がないから、審美性に優れている。
【００１８】
しかも、義歯床１０に突出部２２を設け、義歯床可動部１２に凹部２４を設ければよいから、構造が簡単で、製造コストが安価であり、また強度、耐久性に優れ、狭小部に対応することができる。
【００１９】
図１０は本発明に係る他の部分入れ歯の一部を示す断面図である。図に示すように、義歯床１０に第１の係合部である半球状の凹部３２が設けられ、義歯床可動部１２に金属からなる球体の半分が埋め込まれており、第２の係合部である半球状の突出部３４が形成されており、凹部３２と突出部３４とが係合した状態では、突出部３４は凹部３２内に位置している。そして、義歯床１０の凹部３２が設けられた面および義歯床可動部１２の突出部３４が設けられた面は、義歯床可動部１２の回動中心線を通る平面に対して同じ角度で傾斜している。このため、義歯床可動部１２の回動中心を中心Ｏ１とし、かつ凹部３２の開口部の中心Ｏ１から最も近い部分３６を通る円弧Ｃ２を描いたとき、突出部３４の一部が円弧Ｃ２の内側に位置している。すなわち、義歯床可動部１２を閉じる方向に回動したとき、部分３６が突出部３４に接触した後の、金属線１６が弾性変形しないと仮定した場合の部分３６の突出部３４に対する移動の軌跡が突出部３４内を通る。なお、他の構成は図１〜図６により説明した部分入れ歯の構成と同様である。
【００２０】
図１０に示した係合部を有する部分入れ歯においては、義歯床可動部１２を開いた状態から閉じた状態に回動したとき、すなわち図１０の紙面時計方向に回動したときには、上述したように、突出部３４の一部が円弧Ｃ２の内側に位置しているから、部分３６が突出部３４の表面に接触し、さらに義歯床可動部１２を図１０の紙面時計方向に回動すると、金属線１６が弾性変形して、部分３６が突出部３４の表面上を滑りながら突出部３４が移動し、突出部３４と凹部３２とが係合状態となる。この状態では、図１〜図６により説明した部分入れ歯の場合と同様に、部分入れ歯６が歯牙欠損部に取り外し不能に取り付けられる。
【００２１】
この状態から、義歯床可動部１２を図１０紙面反時計方向に回動する力を加えると、金属線１６が弾性変形して、部分３６が突出部３４の表面上を滑りながら突出部３４が移動し、義歯床可動部１２が開いた状態となる。この場合、図１〜図６により説明した部分入れ歯の場合と同様に、部分入れ歯６を歯牙欠損部から取り外すことができる。
【００２２】
図１１〜図１５により本発明に係る他の部分入れ歯を説明する。部分入れ歯４２が口内の歯牙欠損部に取り付けられている。部分入れ歯４２は義歯４４および義歯床４６を有する。義歯４４および義歯床４６の材料は歯科用床用レジンである。義歯床４６に義歯床可動部４８が可動部回動具５０によって回動可能に支持されている。可動部回動具５０はＵ字型の金属線５２を有しており、金属線５２の断面形状は円形であり、金属線５２の直径は０．７〜１ｍｍである。金属線５２の端部に球形部５４が設けられ、金属線５２、球形部５４はステンレス鋼からなる。また、金属線５２に回転支持体５６が設けられ、回転支持体５６は金−銀−パラジウム合金、コバルト−クロム合金、純金等からなり、回転支持体５６は円筒部５６ａと板部５６ｂとを有しており、円筒部５６ａの内径は金属線５２の外径とほぼ等しく、金属線５２の一端が回転支持体５６の円筒部５６ａ内に挿入されており、金属線５２は円筒部５６ａに対して回転可能であり、金属線５２の回転支持体５６から突出した端部に球形部５４が設けられている。また、球形部５４の直径は金属線５２の直径、円筒部５６ａの内径よりも大きいから、金属線５２が回転支持体５６から抜け出ることはない。そして、球形部５４、回転支持体５６は義歯床４６内に埋め込まれており、金属線５２の円筒部５６ａから突出した部分は義歯床可動部４８内に埋め込まれている。すなわち、義歯床可動部４８が義歯床４６に金属線５２を介して回動可能に支持されている。なお、球形部５４は円筒部５６ａの中心線を中心として回転可能である。
【００２３】
また、義歯床４６に第１の係合部である突出部５８が設けられ、義歯床可動部４８に第２の係合部である凹部６０が設けられ、突出部５８は凹部６０内に位置している。そして、図１３に示すように、義歯床可動部４８の回動中心を中心Ｏ２とし、かつ凹部６０の部分６２を通る円弧Ｃ３を描いたとき、突出部５８の一部が円弧Ｃ３の外側に位置している。すなわち、義歯床可動部４８を閉じる方向に回動したとき、部分６２が突出部５８に接触した後の、金属線５２が弾性変形しないと仮定した場合の部分６２の突出部５８に対する移動の軌跡が突出部５８を通る。
【００２４】
また、義歯床可動部４８が閉じた状態においては、義歯床４６の外側の両側部の歯側上部が残存歯２と歯肉４との間に形成される窪み部に係合するとともに、義歯床可動部４８の歯側上部も残存歯２と歯肉４との間に形成される窪み部に係合する。
【００２５】
図１１〜図１５により説明した部分入れ歯においては、図１６に示す義歯床可動部４８が開いた状態で、部分入れ歯４２を口内の歯牙欠損部に装着したのち、図１３に示す義歯床可動部４８が閉じた状態にすれば、凹部６０内に突出部５８が入った状態すなわち突出部５８と凹部６０とが係合した状態になる。この場合、義歯床可動部４８を開いた状態から閉じた状態に回動したとき、すなわち図１６の紙面反時計方向に回動したときには、上述したように、突出部５８の一部が円弧Ｃ３の外側に位置しているから、部分６２が突出部５８の表面に接触し、さらに義歯床可動部４８を図１６の紙面反時計方向に回動すると、金属線５２が弾性変形して、部分６２が突出部５８の表面上を滑りながら移動し、突出部５８と凹部６０とが係合状態となる。
【００２６】
したがって、図１３に示した状態から、義歯床可動部４８を図１３紙面時計方向に回動するためには、ある程度の力を作用させる必要がある。そして、この状態においては、義歯床４６の外側の両側部の歯側上部が残存歯２と歯肉４との間に形成される窪み部に係合するとともに、義歯床可動部４８の歯側上部も残存歯２と歯肉４との間に形成される窪み部に係合するから、部分入れ歯４２を図１１紙面上方に移動する力を加えたとしても、部分入れ歯４２は移動しない。したがって、義歯床可動部４８が閉じた状態では、部分入れ歯４２が歯牙欠損部に取り外し不能に取り付けられる。
【００２７】
この状態から、義歯床可動部４８を図１３紙面時計方向に回動する力を加えると、金属線５２が弾性変形して、部分６２が突出部５８の表面上を滑りながら移動し、義歯床可動部４８が開いた状態となる。この場合、義歯床可動部４８の歯側上部が残存歯２と歯肉４との間に形成される窪み部に係合しない状態となるから、部分入れ歯４２を図１１紙面上方に移動することができる。したがって、義歯床可動部４８が開いた状態では、部分入れ歯４２を歯牙欠損部から取り外すことができる。
【００２８】
このような部分入れ歯においては、義歯床可動部４８を開いた状態として、部分入れ歯４２を歯牙欠損部に装着したのち、義歯床可動部４８を閉じた状態とすれば、部分入れ歯４２を歯牙欠損部に取り外し不能に取り付けることができ、この状態から、義歯床可動部４８を開いた状態にすれば、部分入れ歯４２を歯牙欠損部から取り外すことができる。したがって、固定用のクラスプを残存歯に掛けて固定する部分入れ歯と比較して、脱着容易性が良好である。また、固定用のクラスプを残存歯２に掛ける必要がないから、審美性に優れている。
【００２９】
しかも、義歯床４６に突出部５８を設け、義歯床可動部４８に凹部６０を設ければよいから、構造が簡単で、製造コストが安価であり、また強度、耐久性に優れ、狭小部に対応することができる。
【００３０】
図１７、図１８により本発明に係る他の部分入れ歯を説明する。義歯床４６に義歯床可動部７２が可動部回動具１４によって回動可能に支持されている。そして、球形部１８、回転支持体２０は義歯床４６内に埋め込まれており、金属線１６の回転支持体２０の円筒部から突出した部分は義歯床可動部７２内に埋め込まれている。すなわち、義歯床可動部７２が義歯床４６に金属線１６を介して回動可能に支持されている。なお、球形部１８は回転支持体２０の円筒部の中心線を中心として回転可能である。
【００３１】
また、義歯床４６に第１の係合部である突出部７４が設けられ、義歯床可動部７２に第２の係合部である凹部７６が設けられ、突出部７４は凹部７６内に位置している。そして、義歯床可動部７２を閉じる方向に回動したとき、図１９に示すように、凹部７６の部分７８が突出部７４に接触した後の、金属線１６が弾性変形しないと仮定した場合の部分７８の突出部７４に対する移動の軌跡が突出部７４内を通る。
【００３２】
また、義歯床可動部７２が閉じた状態においては、義歯床４６の外側の両側部の歯側上部が残存歯２と歯肉４との間に形成される窪み部に係合するとともに、義歯床可動部７２の歯側上部も残存歯２と歯肉４との間に形成される窪み部に係合する。
【００３３】
図１７により説明した部分入れ歯においては、図１９に示す義歯床可動部７２が開いた状態で、部分入れ歯４２を口内の歯牙欠損部に装着したのち、図１８に示す義歯床可動部７２が閉じた状態にすれば、凹部７６内に突出部７４が入った状態すなわち突出部７４と凹部７６とが係合した状態になる。この場合、義歯床可動部７２を開いた状態から閉じた状態に回動したときには、部分７８が突出部７４の表面に接触し、さらに義歯床可動部７２を回動すると、金属線５２が弾性変形して、部分７８が突出部７４の表面上を滑りながら移動し、突出部７４と凹部７６とが係合状態となる。
【００３４】
したがって、図１８に示した状態から、義歯床可動部７２を図１８紙面時計方向に回動するためには、ある程度の力を作用させる必要がある。そして、この状態においては、図１１〜図１５により説明した部分入れ歯と同様に、部分入れ歯４２が歯牙欠損部に取り外し不能に取り付けられる。
【００３５】
この状態から、義歯床可動部７２を回動する力を加えると、金属線５２が弾性変形して、部分７８が突出部７４の表面上を滑りながら移動し、義歯床可動部７２が開いた状態となる。この場合、図１１〜図１５により説明した部分入れ歯と同様に、部分入れ歯４２を歯牙欠損部から取り外すことができる。
【００３６】
このような部分入れ歯においては、義歯床可動部７２を開いた状態として、部分入れ歯４２を歯牙欠損部に装着したのち、義歯床可動部７２を閉じた状態とすれば、部分入れ歯４２を歯牙欠損部に取り外し不能に取り付けることができ、この状態から、義歯床可動部７２を開いた状態にすれば、部分入れ歯４２を歯牙欠損部から取り外すことができる。したがって、固定用のクラスプを残存歯に掛けて固定する部分入れ歯と比較して、脱着容易性が良好である。また、固定用のクラスプを残存歯２に掛ける必要がないから、審美性に優れている。
【００３７】
しかも、義歯床４６に突出部７４を設け、義歯床可動部７２に凹部７６を設ければよいから、構造が簡単で、製造コストが安価であり、また強度、耐久性に優れ、狭小部に対応することができる。
【００３８】
図２０、図２１は本発明に係る他の部分入れ歯の可動部回動具を示す図である。図に示すように、金属線１６、５２に回転支持体８２、８６が設けられ、回転支持体８２、８６は金−銀−パラジウム合金、コバルト−クロム合金、純金等からなり、回転支持体８２、８６は円筒部と板部とを有しており、回転支持体８２、８６の円筒部の内径は金属線１６、５２の外径とほぼ等しく、金属線１６、５２の一部が回転支持体８２、８６の円筒部内に挿入されており、金属線１６、５２は回転支持体８２、８６の円筒部に対して回転可能であり、金属線１６、５２の回転支持体８２、８６から突出した端部に球形部１８、５４が設けられている。また、球形部１８、５４の直径は回転支持体８２、８６の円筒部の内径よりも大きいから、金属線１６、５２が回転支持体８２、８６から抜け出ることはない。また、回転支持体８２、８６の板部に孔８４、８８が設けられている。
【００３９】
図２０、図２１に示した可動部回動具を有する部分入れ歯においては、回転支持体８２、８６の板部に孔８４，８８が設けられているから、義歯床１０、４６に回転支持体８２、８６を強固に取り付けることができる。
【００４０】
図２２、図２３は本発明に係る他の部分入れ歯の可動部回動具を示す図である。図に示すように、金属線１６、５２に回転支持体が設けられていない。なお、金属線１６、５２は義歯床１０、４６によって回転可能に支持される。
【００４１】
図２２、図２３に示した可動部回動具を有する部分入れ歯においては、金属線１６、５２に回転支持体が設けられていないから、構造が極めて簡単であり、製造コストがさらに安価になる。
【００４２】
なお、上述実施の形態においては、弾性変形体として金属線１６、５２を用いたが、弾性変形体としてアセタル樹脂などの弾性を有する樹脂からなるものを用いてもよい。
【００４３】
また、上述実施の形態においては、金属線１６、５２に抜け止め部として球形部１８、５４を設けたが、抜け止め部として円板部等を設けてもよく、この場合には円板部等の直径を金属線の外径よりも大きくする。
【００４４】
また、上述実施の形態においては、義歯床１０、４６に第１の係合部である突出部２２、凹部３２、凹部６０を設けたが、義歯に第１の係合部を設けてもよい。
【符号の説明】
【００４５】
６…部分入れ歯
８…義歯
１０…義歯床
１２…義歯床可動部
１４…可動部回動具
１６…金属線
１８…球形部
２０…回転支持体
２２…突出部
２４…凹部
２８…部分
３２…凹部
３４…突出部
３６…部分
４２…部分入れ歯
４４…義歯
４６…義歯床
４８…義歯床可動部
５０…可動部回動具
５２…金属線
５４…球形部
５６…回転支持体
５８…突出部
６０…凹部
６２…部分
７２…義歯床可動部
７４…突出部
７６…凹部
７８…部分
【図１】
2010131350.tif 000003
【図２】
2010131350.tif 000004
【図３】
2010131350.tif 000005
【図４】
2010131350.tif 000006
【図５】
2010131350.tif 000007
【図６】
2010131350.tif 000008
【図７】
2010131350.tif 000009
【図８】
2010131350.tif 000010
【図９】
2010131350.tif 000011
【図１０】
2010131350.tif 000012
【図１１】
2010131350.tif 000013
【図１２】
2010131350.tif 000014
【図１３】
2010131350.tif 000015
【図１４】
2010131350.tif 000016
【図１５】
2010131350.tif 000017
【図１６】
2010131350.tif 000018
【図１７】
2010131350.tif 000019
【図１８】
2010131350.tif 000020
【図１９】
2010131350.tif 000021
【図２０】
2010131350.tif 000022
【図２１】
2010131350.tif 000023
【図２２】
2010131350.tif 000024
【図２３】
2010131350.tif 000025
【国際調査報告】
2010131350.tif 000026
2010131350.tif 000027
2010131350.tif 000028